(57)【要約】【課題】前面開口部の上部に張り出す庇付きの屋根を備えた電気機器収納用箱の構造に関し、構成部品点数を抑制し、かつ、構成部材の溶接にともなう段差の発生を回避可能とする技術を提供すること。【解決手段】扉部２で覆われる前面開口部の上部に庇付きの屋根を備えた電気機器収納用箱であって、筐体本体１の天井部３を、天井板４と、該天井板の前端部を下方に折り曲て形成した庇部５から構成した屋根とし、筐体本体１の左右側面板６または背面板７の上端部を、天井部３と隙間なく突き合わせて接合した。【選択図】図７
2013161853.tif 000002
【特許請求の範囲】
【請求項１】
扉部で覆われる前面開口部の上部に庇部付きの天井部を備えた電気機器収納用箱であって、
筐体本体の該天井部を、天井板と、該天井板の前端部を下方に折り曲げ形成した庇部から構成し、
該筐体本体の左右側面板の上端部を、該天井部と隙間なく突き合わせて溶接接合したことを特徴とする電気機器収納用箱。
【請求項２】
該天井部と該背面板を一体に折り曲げ形成したことを特徴とする請求項１記載の電気機器収納用箱。
【請求項３】
扉部で覆われる前面開口部の上部に庇付きの天井部を備えた電気機器収納用箱であって、
筐体本体の該天井部を、天井板と、該天井板の前端部を下方に折り曲げ形成した庇部から構成し、
該筐体本体の背面板の上端部を、該天井部と隙間なく突き合わせて溶接接合したことを特徴とする電気機器収納用箱。
【請求項４】
該天井部と該左右側面板を一体に折り曲げ形成したことを特徴とする請求項３記載の電気機器収納用箱。
【請求項５】
庇部の左右側端部に生じる開口端部に、該開口端部を塞ぐ塞ぎ部を設けたことを特徴とする請求項１〜４の何れかに記載の電気機器収納用箱。
【請求項６】
該左右側面板の前端側には左右水切り部が、底板の前端側には下水切り部がそれぞれ一体に形成され、上水切り部は独立部材で形成したことを特徴とする請求項１〜５の何れかに記載の電気機器収納用箱。
【発明の詳細な説明】
【技術分野】
【０００１】
本発明は、電気機器収納用箱の外郭構造に関するものである。
【背景技術】
【０００２】
屋外で使用される電気機器収納用箱としては、外部からの異物侵入防止や雨水の浸入防止を目的として、前面開口部の上部に張り出す庇付きの屋根部材を設けたものが広く使用されている。
【０００３】
従来、屋根部材を筐体本体に取り付ける手段としては、特許文献１に示すように、天井板及び左右側面板、底板で囲まれた前面開口部を有する筐体本体に背面及び両側面を折り曲げ形成した庇付きの屋根部材を筐体本体の天井板に被せた上で、屋根部材を筐体本体の左右側面板や背面板にスポット溶接する方法や、筐体本体の天井板に庇付きの屋根部材を搭載してねじ止めを行う方法（例えば、特許文献２）が知られいる。
【０００４】
しかし、特許文献１記載の構造では２枚の母材を重ね合わせてスポット溶接を行うため、壁面に取り付ける際や筐体本体を左右に密着して併設する際に屋根部材の折り曲げ部分が背面板や左右側面板厚分だけ突出してしまい取り付けが困難となる問題や、特許文献１記載の構造においては、屋根部材を筐体本体にスポット溶接を行った後に塗装を行うため、左右側面板もしくは背面板と屋根部材との重ね合わせ部分への塗装が行い難く、均一な塗装が困難であり、塗装が不十分な箇所から錆が生じやすいという問題があった。
【０００５】
また、特許文献２記載の方法では、箱本体部と屋根部材とネジ部材とを、各々個別に組み立て作業を行うものであり、部品点数が多くなる問題や、作業工程が多く煩雑になる問題があった。
【先行技術文献】
【特許文献】
【０００６】
【特許文献１】実開平５-６２１０７号公報
【特許文献２】特開２００１−０４４６５２号公報
【発明の概要】
【発明が解決しようとする課題】
【０００７】
本発明の目的は前記の問題を解決し、前面開口部の上部に張り出す庇付きの屋根を備えた電気機器収納用箱の構造に関し、美観を向上させ、構成部品点数を抑制し、かつ、構成部材の溶接にともなう段差の発生を回避可能とする技術を提供することである。
【課題を解決するための手段】
【０００８】
上記課題を解決するためになされた本発明の電気機器収納用箱は、扉部で覆われる前面開口部の上部に庇部付きの天井部を備えた電気機器収納用箱であって、筐体本体の該天井部を、天井板と、該天井板の前端部を下方に折り曲て形成した庇部から構成した、該筐体本体の左右側面板の上端部を該天井部と隙間なく突き合わせて溶接接合したことを特徴とするものである。
【０００９】
請求項２記載の発明は、請求項１記載の電気機器収納用箱において、該天井部と該背面板を一体に折り曲げ形成したことを特徴とするものである。
【００１０】
請求項３記載の発明は、扉部で覆われる前面開口部の上部に庇付きの天井部を備えた電気機器収納用箱であって、筐体本体の該天井部を、天井板と、該天井板の前端部を下方に折り曲げ形成した庇部から構成し、該筐体本体の背面板の上端部を、該天井部と隙間なく突き合わせて溶接接合したことを特徴とするものである。
【００１１】
請求項４記載の発明は、請求項３記載の電気機器収納用箱において、該天井部と該左右側面板を一体に折り曲げ形成したことを特徴とするものである。
【００１２】
請求項５記載の発明は、請求項１〜４の何れかに記載の電気機器収納用箱において、庇部の左右側端部に生じる開口端部に、該開口端部を塞ぐ塞ぎ部を設けたことを特徴とするものである。
【００１３】
請求項６記載の発明は、請求項１〜５の何れかに記載の電気機器収納用箱において、該左右側面板の前端側には左右水切り部が、底板の前端側には下水切り部がそれぞれ一体に形成され、上水切り部は独立部材で形成したことを特徴とするものである。
【発明の効果】
【００１４】
本発明では、筐体本体の天井部を、天井板と、天井板の前端部を下方に折り曲て形成した庇部から構成したため、筐体本体と庇部から構成した屋根部材とを別部材として、さらにネジ止めなどにより組み立てる場合に比べて、少ない部品点数で、簡易な作業により電気機器収納用箱を組み立てることができる。
【００１５】
更に、請求項１の構成において、筐体本体の左右側面板の上端部を、天井部と隙間なく突き合わせて溶接接合したため、壁面に取り付ける際や筐体本体を左右に密着して併設する際に屋根部材の折り曲げ部分が背面板や左右側面板厚分だけ突出してしまい取り付けが困難となったり、均一な塗装が困難であり、塗装が不十分な箇所から錆が生じやすいという問題を回避することができる。
【００１６】
請求項２記載の発明のように、天井部と背面板を一体に折り曲げ形成する構造により、天井部と左右側面板の上端部のみを突き合わせて溶接すれば良いので、溶接箇所が少なくなり、作業性を向上することができる。
【００１７】
請求項３記載の発明のように、筐体本体の背面板の端部を、天井部と隙間なく突き合わせて溶接接合したことにより、壁面に取り付ける際や筐体本体を左右に密着して併設する際に屋根部材の折り曲げ部分が背面板や左右側面板厚分だけ突出してしまい取り付けが困難となったり、均一な塗装が困難であり、塗装が不十分な箇所から錆が生じやすいという問題を回避することができる。
【００１８】
請求項４記載の発明のように、天井部と左右側面板を一体に折り曲げ形成する構造により、天井部と背面板の上端部のみを突き合わせて溶接すれば良いので、溶接箇所を少なくすることができ作業性を向上することができる。更に、視線が集中する箇所を折り曲げて形成することができるため、より美観に優れた電気機器収納用箱とすることができる。
【００１９】
請求項５記載の発明によれば、塞ぎ部により、天井板の前端部を下方に折り曲て形成した庇部の左右側端部と扉部の上端部との間に形成される開口部を塞いで異物の侵入を回避するとともに、1枚板で形成された庇部を支えて強度向上を図ることができる。
【００２０】
請求項６記載の発明によれば、上水切り部は独立部材で形成する構造により、庇部からの折曲工数がなくなり作業性を向上することが可能である。
【図面の簡単な説明】
【００２１】
【図１】本発明の一実施形態に係る電気機器収納用箱の全体斜視図である。
【図２】図１の分解斜視図である。
【図３】上部水切り部材の説明図である
【図４】図１の垂直断面図である。
【図５】他の実施形態における筐体本体と保護部材の説明図である。
【図６】筐体本体の斜視図である。
【図７】溶接接合部の構造に関する実施形態１の分解斜視図である。
【図８】溶接接合部の構造に関する実施形態２の分解斜視図である。
【図９】溶接接合部の構造に関する実施形態３の分解斜視図である。
【図１０】溶接接合部の構造に関する実施形態４の分解斜視図である。
【図１１】溶接接合部の構造に関する実施形態５の分解斜視図である。
【図１２】溶接接合部の構造に関する実施形態６の分解斜視図である。
【図１３】溶接接合部の構造に関する実施形態７の分解斜視図である。
【図１４】溶接接合部の構造に関する実施形態８の分解斜視図である。
【発明を実施するための形態】
【００２２】
以下に本発明の好ましい実施形態を示す。本実施形態の電気機器収納用箱は、図１に示すように、電気機器が収納される筐体本体１と、筐体本体１の前面開口部を覆う扉部２を備えている。
【００２３】
図２の分解斜視図に示すように、筐体本体１は、天井部３の他、左右側面板６と背面板７と底板８から構成されている。天井部３は、天井板４の前端部を下方に折り曲て一体形成した庇部５を備えている。
【００２４】
左右側面板６の前端側には、筐体本体１の前面開口部の左右辺に沿って、左右水切り部９が一体に形成されている。
【００２５】
図２及び図６に示すように、底板８は、前後左右の側端部を折り上げた皿形状を有し、左右に折り上げた左右折り上げ部８１の外面は左右側面板６の内面と重ね合わせてスポット溶接され、後側で折り上げた後折り曲げ部８２の外面を背面板７の内面と重ね合わせてスポット溶接される。このように、底部８の折り曲げ部８２の外面を、筐体本体１の内側でスポット溶接する構造とすることにより、雨水等が、天井部３から筐体本体１の外壁を伝って流れてきた場合にも、外壁を伝わってそのまま下方に滴下するため、雨水の筐体本体１内部への侵入を回避することができる。
【００２６】
底板８の前端側には、筐体本体１の前面開口部の下辺に沿って、下水切り部１０が一体に形成されている。
【００２７】
筐体本体１の前面開口部の上辺からの浸水を回避するための上水切り部１１は、図３に示す独立部材となる上部水切り部材２０からなり、図４に示すように、天井板４に当接する水平固定部１２を垂直下向きに折り曲げた下垂面１３の下端に形成されている。水平固定部１２は庇部５より内側の天井板４に形成されている。また、図３に示すように、下垂面１３の左右端部には折曲部１４が形成されている。折曲部１４は、図２に示すように、天井板４の前端部を下方に折り曲げて形成した庇部５の左右側端部と扉部２の上端部、上部水切り部材２０の下垂面１３の間に形成される開口端部３０より、外部からの異物侵入防止や雨水の浸入防止を塞ぐ塞ぎ部としての機能とともに、１枚板で形成された庇部５を支える補強部材としての機能を奏する。本実施形態では、図２、図４に示すように左右水切り部９、下水切り部１０はそれぞれ左右側面板６、底板８に一体に形成され、上部水切り部材２０は独立部材で形成されている。上部水切り部材２０と天井板４はスポット溶接または全溶接により溶接接合されている。本実施形態においては、上水切り部１１を上部水切り部材２０として独立部材で形成することにより、庇部５からの上水切り部１１の折曲げをなくし、作業性を向上させることができるものである。
【００２８】
本実施形態では、折曲部１４を上部水切り部材２０に形成したが、その他、折曲部１４を庇部５の左右側端部より一体に折曲形成してもよいし、あるいは、図５に示すように、塞ぎ部を樹脂材料・ゴム・金属部材からなるブロック状の独立した保護部材１７を挿入するものとすることもできる。
【００２９】
なお、本実施形態の電気機器収納用箱は、筐体本体１を組み立てた後に電着塗装槽に浸漬して全体を塗装する方法で製造される。電着塗装槽に浸漬した際、筐体本体１と天井部３のコーナー部に空気溜りが形成されてしまい未塗装部分が生じる問題を回避するために、上部水切り部材２０の下垂面１３には空気孔１５ａが形成されている。また、筐体本体１においては左右水切り辺９に形成した空気孔１５ｂが形成されている。この空気孔１５は、塗装後には不要なものとなるため、筐体本体１と上部水切り部材２０の空気孔１５（１５ａ、１５ｂ）が重ね合わさった状態で、図２に示すように、塗装後には弾性片を備える塞ぎ部材１６によって塞がれている。また、図５に示すように、庇部５の左右端部に形成される開口端部３０に樹脂材料・ゴム・金属部材からなるブロック状の独立した保護部材１７を挿入する場合、保護部材１７を空気孔１５の塞ぎ部として兼用することもできる。
【００３０】
本実施形態では、図６に示すように、上記の各水切り部（左右水切り部９・下水切り部１０・上水切り部１１）を各端部で溶接接合して、筐体本体１の前面開口部の水切り部を構成している。
【００３１】
筐体本体１の天井部３は、左右側面板６もしくは背面板７の少なくとも何れかと、隙間なく突き合わせて溶接接合されている。ここで、突き合わせて溶接接合させる構造として、天井部３と左右側面板６もしくは背面板７を９０°の角度で配置し、端部の隙間を全溶接した構造としている。当該溶接接合部の構造につき、以下の実施形態で詳細に説明する。
【００３２】
（溶接接合部の構造に関する実施形態１）
本実施形態は、図７に示すように、左右側面板６と背面板７とをコ字状に一体に形成した部材の上端部を、天井部３の天井板４の左右側端部および後端部と隙間なく突き合わせて溶接接合したものである。なお、突き合わせて溶接接合する場合、天井板４の裏面に左右側面板６と背面板７の上端部を突き合わせる他、天井板４の左右端部または後端部を背面板７及び左右側面板の筐体本体１の内側面の上端部と突き合わせて溶接接合する方法であっても良い。当該構造によれば、視線の集中する筐体本体１の上部には、左右側面板６もしくは背面板７と天井板４を重ね合わせてスポット溶接した際に生じる段差を形成することなく筐体本体１を組み立てることができるため、美観に優れ、壁面に取り付ける際や筐体本体１を左右に密着して併設する際に屋根部材の折り曲げ部分が背面板や左右側面板厚分だけ突出してしまい取り付けや併設が困難となる問題を回避することができる。また、均一な塗装が困難であり、重ね合わせ部分における塗装が不十分な箇所から錆が生じる問題を回避することができる。
【００３３】
（溶接接合部の構造に関する実施形態２）
図７に示した実施形態１の天井部３と背面板７及び左右側面板６を突き合わせて溶接接合するものであるが、溶接時に位置合わせが難しいなどの問題点が生じる。その為、図８に示すように、筐体本体１の背面板を台形状に筐体内側に凹ませた凹部２４を形成し、天井板４の後端面より凹部２４に対応した台形状の接合面２３を形成し、位置合わせを行った後にスポット溶接するものである。位置合わせを行った後、天井板４の左右端部と左右側面板６は突き合わせた上溶接接合するものである。当該構造によれば、天井板４に形成した接合面２３と背面板７の凹部２４により重ね合わせても水平状に形成され段差が形成されないので壁面への取り付けが困難になる問題は生じない。更に、視線が集中する天井部３と左右側面板６の上端部は突き合わせて溶接接合するものであるため、美観に優れた構造とすることができる。
【００３４】
（溶接接合部の構造に関する実施形態３）
実施形態２に示す構造において、電気機器収納用箱の横幅が大きいものとなった場合には、図８に示す実施形態１のように背面板７と左右側面板６を一枚板で形成すると、強度低下の恐れがある。また、材料を抜き取る元の材料も大きな材料が必要となる。そのため、図９に示すように背面板７と左右側面板６を２つに分けた分割筐体２１を形成し、分割筐体２１の背面板７の中央を筐体内側に向けて折り曲げた接合面２２同士を合わせて溶接接合することが好ましい。当該構造によれば、背面板７と左右側面板６を２つに分けた分割筐体２１を形成したものにおいては、接合面２２が背面板の補強部となるため、電気機器収納用箱の横幅が大きくなった場合でも強度を保つことができるものである。また、材料を抜き取る元の材料も大きくなくても良いものである。
【００３５】
また、上記に示した実施形態１〜３では何れも、天井部３と背面板７は別部材として形成しているものであるが、下記の実施形態４の図１０に示すように天井部３は背面板７と一体形成することもできる。また、底板８は、別部材として、筐体内側で左右側面板６および背面板７と重ね合わせてスポット溶接を行っているが、下記の実施形態５の図１１に示すように、背面板７の下端部を水平に折り上げて底板８を一体形成したり、実施形態６の図１２に示すように、左右側面板６と底板８を一体形成することもできる。
【００３６】
なお、下記以降に示す実施形態において、背面板７と左右側面板６を溶接接合する必要がある場合の構造については、左右側面板６に背面板７と接合する接合面１８を形成した上で、接合面１８の裏面を背面板４の表面と重ね合わせてスポット溶接を行って接合しているものである。また、接合面１８を形成せず、左右側面板６に背面板７を隙間なく突き合わせて接合してもよいし、実施形態２のように背面板７の左右端部を台形状に筐体内側に凹ませた凹部を形成して接合面１８とスポット溶接するものであっても良いものである。
【００３７】
（溶接接合部の構造に関する実施形態４）
本実施形態は、図１０に示すように、天井板４の後端部を垂直下向きに折り曲げて背面板７を一体形成し、左右側面板６の上端部を、天井板４の左右側端部と隙間なく突き合わせて溶接接合したものである。当該構造によれば、天井部３と背面板７は一体形成されているので、筐体本体１の上端側における溶接個所は天井部３と左右側面板６の上端部のみで良いので溶接距離を短くでき、同一方向のみの突き合わせ溶接で良いので作業性を向上することが可能である。
【００３８】
（溶接接合部の構造に関する実施形態５）
本実施形態は、図１１に示すように、天井板４の後端部を垂直下向きに折り曲げて背面板７を一体形成し、更に、背面板７の下端部を水平に折り上げて底板８を一体形成し、別部材として左右側面板６を形成したものである。本実施形態は、別部材として形成した左右側面板６の上端部を、天井板４の左右側端部と隙間なく突き合わせて溶接接合したものである。当該構造によれば、天井部３と背面板７、更に底板８とを一体に形成したため、より溶接個所を削減することができ、天井部３との突き合わせ溶接は左右側面板６の上端部のみで良く、同一方向のみの突き合わせ溶接で良いので作業性を向上することが可能である。
【００３９】
（溶接接合部の構造に関する実施形態６）
本実施形態は、図１２に示すように、天井板４の後端部を垂直下向きに折り曲げて背面板７を一体形成し、更に、左右側面板６においても底板８と一体に略コ字状に形成した２部材で形成されたものである。本実施形態は、左右側面板６の上端部を、天井板４の左右側端部と隙間なく突き合わせて溶接接合したものである。当該構造によれば、左右側面板６と底板８を一体に形成したため、より溶接個所を削減することができ、天井部３との突き合わせ溶接は左右側面板６の上端部のみで良く、同一方向のみの突き合わせ溶接で良いので作業性を向上することが可能である。更に、実施形態５及び実施形態６においては、いずれも少ない部材で形成されるものであるため、部品点数を削減することが可能である。
【００４０】
上記に示した実施形態４〜６では何れも、天井部３、左右側面板７、底板８の何れかは、別部材として形成したものであるが、下記の実施形態７の図１３に示すように、各々の部材を一体形成することも可能である。
【００４１】
（溶接接合部の構造に関する実施形態７）
本実施形態は、図２の筐体本体１を展開した図１３に示すように、天井板４の後端部を垂直下向きに折り曲げて背面板７を一体形成し、更に、背面板７の左右端部を前方に折り曲げて左右側面板６を一体形成６した上で、左右側面板６の上端部を、天井板４の左右側端部と隙間なく突き合わせて溶接接合したものである。当該構造によれば、上記に示した実施形態に比べて溶接個所を低減することができ、同一方向のみの突き合わせ溶接で良いので作業性を向上することができる。
【００４２】
また、更に、背面板７の下端部を水平に折り上げて底板８を一体形成したものであっても良い。当該実施形態によれば、溶接箇所は天井部３と左右側面板６の上端部と底板９左右側面板６の下端部のみとなり、前述の構造より更に溶接個所を低減することができ、作業性を向上することが可能である。
【００４３】
上記に示した実施形態４〜７では何れも、天井板４の後端部を垂直下向きに折り曲げて背面板７を一体形成したものであるが、下記の実施形態８の図１４に示すように、天井部３の左右端部を折り曲げて左右側面板を一体形成することも可能である。
【００４４】
（溶接接合部の構造に関する実施形態８）
本実施形態は、図１４に示すように、天井板４の左右端部を垂直下向きに折り曲げて左右側面板６を一体形成し、背面板７の上端部を、天井板４の後端部と隙間なく突き合わせて溶接接合したものである。当該構造によれば、天井部３と左右側面板６は一体形成されており、視線が集中する箇所は折り曲げて形成されるので、美観の優れた構造となるものである。また、背面板７側にも屋根部材の折り曲げ部分となる重ね合せ部が形成されないので壁面への取り付けが困難となる問題を回避できるものである。
【符号の説明】
【００４５】
１  筐体本体
２  扉部
３  天井部
４  天井板
５  庇部
６  左右側面板
７  背面板
８  底板
８１  左右折り上げ部
８２  後折り曲げ部
９  左右水切り部
１０  下水切り部
１１  上水切り部
１２  水平固定部
１３  下垂面
１４  折曲部
１５  空気孔
１６  塞ぎ部材
１７  保護部材
１８  接合面
１９  接合面
２０  上部水切り部材
２１  分割筐体
２２  接合面
２３  接合面
２４  凹部
３０  開口端部
【図１】
2013161853.tif 000003
【図２】
2013161853.tif 000004
【図３】
2013161853.tif 000005
【図４】
2013161853.tif 000006
【図５】
2013161853.tif 000007
【図６】
2013161853.tif 000008
【図７】
2013161853.tif 000009
【図８】
2013161853.tif 000010
【図９】
2013161853.tif 000011
【図１０】
2013161853.tif 000012
【図１１】
2013161853.tif 000013
【図１２】
2013161853.tif 000014
【図１３】
2013161853.tif 000015
【図１４】
2013161853.tif 000016